(57)【特許請求の範囲】
【請求項１】
ディスクに記録されたアドレスデータおよびその他のデータを読み取るデータ読み取り手段、上記アドレスデータとその他のデータとを分離する信号処理手段、その他のデータを再生するその他のデータ再生手段、および上記信号処理手段からのアドレスデータの供給を受けて上記データ読み取り手段を制御する制御手段を備え、上記制御手段は、サーチキーおよびその他のキーを有し、上記アドレスデータに含まれるデータ要素数と所定値を比較判定し、この判定結果に応じて上記サーチキーによる操作の対象を、トラックアドレスか時間アドレスのいずれかに切り換えて上記データ読み取り手段を制御するようにしたことを特徴とするディスク装置。
【請求項２】
表示手段を備え、サーチキーの制御対象および再生経過時間を表示するようにしたことを特徴とする請求項１記載のディスク装置。
【請求項３】
サーチキーの操作対象が時間アドレスのとき、時間要素の単位長を設定する設定手段を設けたことを特徴とする請求項１または請求項２記載のディスク装置。
【請求項４】
データ要素数に応じて、使用者が、サーチキーの操作対象をトラックアドレスか時間アドレスのいずれかに選択できるようにしたことを特徴とする請求項１乃至請求項３のいずれか一項記載のディスク装置。
【発明の詳細な説明】
【０００１】
【発明の属する技術分野】
この発明は、例えばデジタルオーディオディスク再生装置等を含むディスク装置に関するものである。
【０００２】
【従来の技術】
従来のディスク装置について、デジタルオーディオディスク再生装置を例に説明する。図６は従来のデジタルオーディオディスク再生装置のブロック図であり、図において、１はデジタルオーディオデータが記録されたディスク、２はディスク１を回転させるディスクモーター、３はディスク１のデータを読み取るピックアップ、４はピックアップ３の位置を移動させるピックアップ送りモーター、５はピックアップ３からのデータを加工、分離して出力するＲＦ検出回路、６はＲＦ検出回路５からのサーボ信号と制御回路８からの命令によって、上記ディスクモーター２、ピックアップ３、ピックアップ送りモーター４の制御を行うサーボ回路であり、これらがデータ読み取り手段を構成している。
【０００３】
７はＲＦ検出回路５からのデジタル信号からアドレスデータとオーディオデータとを加工、分離し、アドレスデータを後述の制御回路８へ、またオーディオデータを後述のオーディオ再生手段へ出力するデジタル信号処理回路である。１０はデジタル信号処理回路７から入力されたデジタルオーディオデータをアナログオーディオデータに変換するＤ／Ａ変換回路、１１はＤ／Ａ変換回路１０から出力されたアナログオーディオデータに対して、音量調整、音質調整、および消音などの処理を行うオーディオ回路、１２はオーディオ回路１１から出力された信号を増幅しスピーカー１４を駆動するための増幅回路であり、上記１０乃至１４がオーディオデータの再生手段である。
【０００４】
８は制御回路、９は制御回路８に対して使用者が行う各種操作を伝達する、前方サーチキー９ａ、後方サーチキー９ｂ、その他キー９ｃを含む操作キー群、１３は制御回路８に連なる表示部である。なお、制御回路８の内部には、サーボ系制御手段８ａ、総曲番数記憶手段８ｃ、表示制御手段８ｅ、および消音制御手段８ｆが含まれる。
【０００５】
次に、図６の動作を説明する。システムにディスク１が挿入されると、制御回路８内部のサーボ系制御手段８ａはサーボ回路６に対して、ディスク１に記録されているＴＯＣデータを読むべく命令を発する。サーボ回路６は、制御回路８の命令に従い、ＲＦ検出回路５からフィードバックされるサーボ信号を基に、ディスクモーター２、ピックアップ３、ピックアップ送りモーター４を制御し、サーボをかける。
【０００６】
ＲＦ検出回路５では、上記サーボ信号をサーボ回路６に供給すると共に、サーボ信号を除いた信号をデジタル信号処理回路７に供給する。デジタル信号処理回路７では、入力された信号がさらにアドレス検出用データとデジタルオーディオデータに分離され、前者は制御回路８、後者はＤ／Ａ変換回路１０に供給される。
【０００７】
ＴＯＣデータのアドレス検出用データには、総曲番数、各曲番が始まる絶対時間、総記録時間が記録されており、制御回路８では、供給されたアドレス検出用データに含まれる総曲番数データを総曲番数記憶手段８ｃに記憶する。また、このＴＯＣデータの読み取り期間中は音声の出力は必要ないため、制御回路８は消音制御手段８ｆから消音信号をオーディオ回路１１に供給し、消音させる。このようにして、制御回路８は、ＴＯＣデータを読むことによりディスク１に記録されている総曲番数を認識している。
【０００８】
さらに、制御回路８は、ＴＯＣデータの取得を終了すると、サーボ回路６に対して初めの曲番の頭から再生を始めるべく命令を発する。サーボ回路６は、上記と同じ手順でサーボをかけ、初めの曲番から再生が始まることとなる。
【０００９】
次に、オーディオデータの流れについて説明する。デジタル信号処理回路７からデジタルオーィオデータの供給を受けたＤ／Ａ変換回路１０は、それをアナログオーディオデータに変換しオーディオ回路１１に供給する。オーディオ回路１１でさらに音量調整および音質調整が施された信号は、増幅回路１２を介してスピーカー１４から音として出力される。この再生時には、制御回路８は消音制御手段８ｆからの消音信号の出力を停止し消音させなくしている。
【００１０】
さらに、表示について説明する。ＴＯＣ以外のエリアを再生しているデジタル信号処理回路７から出力されるアドレス検出用データ中には、現在の曲番、当該曲番内の経過時間、絶対時間が含まれており、制御回路８はこれを加工し、表示制御手段８ｅを介して、表示部１３に、曲番、当該曲番内の経過時間が表示されるように制御を行う。
【００１１】
ここで、使用者が操作キー群９を操作した場合、操作内容は制御回路８に伝達される。制御回路８は、操作内容に応じた状態になるように、サーボ回路６に対して命令を発し、上記同様の手順でサーボがかかり再生が始まることになる。
【００１２】
具体的には、制御回路８は、入力された操作が前方サーチキー９ａの場合、再生中の曲番の頭から再生を開始するように、また、後方サーチキー９ｂの場合、次の曲番の頭から再生を開始するように制御を行う。
【００１３】
また、制御回路８は、最小曲番に再生移行中の前方サーチキー９ａの操作に対しては最大曲番を再生し、再生中の曲番が最大曲番の場合の後方サーチキー９ｂの操作に対しては、最小曲番を再生するように制御を行う。
【００１４】
【発明が解決しようとする課題】
図６に示すような従来のディスク再生装置では、再生するディスクに記録された曲番の数に無関係に、サーチキーの操作によって、次（または前）の曲番の頭から再生を開始するようなされていた。よって、再生するディスクの最大曲番が１の場合、換言すると曲が１つしか記録されていない場合、サーチキーを操作すると、必ず同じ曲の頭に戻ってしまうという問題があった。
【００１５】
また、最大曲番が１のディスクは１曲で最大７４分のデータが記録されている可能性が有るため、サーチキーの他に、早送り（早戻し）キーを備えている場合においても、再生したいデータを呼び出すのに時間がかかり、短時間で呼び出すためには、経過時間指定サーチ等の別のキーが必要となってコストおよび装置のサイズなどが大がかりなものになる等の問題があった。
【００１６】
この発明は、上記の問題を解決するためになされたものであり、例えばデジタルオーディオディスク再生装置において、最大曲番が１のディスクを再生する場合においても、キーの数を増やすことなく、簡便に希望データの呼び出しが可能なディスク装置を得ることを目的とする。
【００１７】
【課題を解決するための手段】
この発明に係るディスク装置は、ディスクに記録されたアドレスデータおよびその他のデータを読み取るデータ読み取り手段、上記アドレスデータとその他のデータとを分離する信号処理手段、その他のデータを再生するその他のデータ再生手段、および上記信号処理手段からのアドレスデータの供給を受けて上記データ読み取り手段を制御する制御手段を備え、上記制御手段は、サーチキーおよびその他のキーを有し、上記アドレスデータに含まれるデータ要素数と所定値を比較判定し、この判定結果に応じて上記サーチキーによる操作の対象を、トラックアドレスか時間アドレスのいずれかに切り換えて上記データ読み取り手段を制御するようにしたものである。
【００１８】
また、上記構成において、表示手段を備え、サーチキーの制御対象および再生経過時間を表示するようにしたものである。
【００１９】
また、サーチキーの操作対象が時間アドレスのとき、時間要素の単位長を設定する設定手段を設けたものである。
【００２０】
また、データ要素数に応じて、使用者が、サーチキーの操作対象をトラックアドレスか時間アドレスのいずれかに選択できるようにしたものである。
【００２１】
【発明の実施の形態】
実施の形態１．
図１は、この発明に係るディスク装置であるデジタルオーディオディスク再生装置を例にとった実施の形態１のブロック図である。図１において、１はデジタルオーディオデータが記録されたディスク、２はディスク１を回転させるディスクモーター、３はディスク１のデータを読み取るピックアップ、４はピックアップ３の位置を移動させるピックアップ送りモーター、５はピックアップ３からのデータを加工、分離して出力するＲＦ検出回路、６はＲＦ検出回路５からのサーボ信号と制御回路８からの命令によって、上記ディスクモーター２、ピックアップ３、ピックアップ送りモーター４の制御を行うサーボ回路であり、これらがデータ読み取り手段を構成している。
【００２２】
７はＲＦ検出回路５からのデジタル信号からアドレスデータとオーディオデータとを加工、分離し、アドレスデータを後述の制御回路８へ、またオーディオデータを後述のオーディオ再生手段へ出力するデジタル信号処理回路、１０はデジタル信号処理回路７から入力されたデジタルオーディオデータをアナログオーディオデータに変換するＤ／Ａ変換回路、１１はＤ／Ａ変換回路１０から出力されたアナログオーディオデータに対して、音量調整、音質調整、および消音などの処理を行うオーディオ回路、１２はオーディオ回路１１から出力された信号を増幅しスピーカー１４を駆動するための増幅回路であり、これら１０乃至１２、１４がオーディオデータ再生手段を構成する。
【００２３】
８は制御回路、９は制御回路８に対して使用者によってなされた各種操作を伝達する前方サーチキー９ａ、後方サーチキー９ｂ、およびその他キー９ｃを含む操作キー群、１３は制御回路８に連なる表示部である。なお、上記制御回路８の内部には、サーボ系を制御するサーボ系制御手段８ａ、ディスク１に記録された総曲数を判断する総曲番数判定手段８ｂ、この総曲番数判定手段８ｂで判定した総曲数を記憶する総曲番数記憶手段８ｃ、総曲数と所定値との関係より操作キー群９の定義を切り換えるキー定義切換手段８ｄ、表示部１３を制御する表示制御手段８ｅ、および消音制御を行う消音制御手段８ｆが含まれており、この内、サーボ系制御手段８ａ、総曲番数判定手段８ｂ、総曲番数記憶手段８ｃでもって上記信号処理手段からのアドレスデータの供給を受けて上記データ読み取り手段を制御する制御手段を構成している。
【００２４】
図２はこのデジタルオーディオディスク再生装置のパネル部分を示すもので、９ａは前方サーチキー、９ｂは後方サーチキー、９ｃはその他キー、１３は表示部である。図３はその表示部１３のみを拡大して示したものである。
【００２５】
次に、図１の動作を説明する。システムにディスク１が挿入されると、制御回路８内部のサーボ系制御手段８ａはサーボ回路６に対して、ディスク１に記録されているＴＯＣデータを読むべく命令を発する。サーボ回路６は、制御回路８の命令に従い、ＲＦ検出回路５からフィードバックされるサーボ信号を基に、ディスクモーター２、ピックアップ３、およびピックアップ送りモーター４を制御し、サーボをかける。
【００２６】
ＲＦ検出回路５では、上記サーボ信号をサーボ回路６に供給すると共に、サーボ信号を除いた信号をデジタル信号処理回路７に供給する。デジタル信号処理回路７では、入力された信号がさらにアドレス検出用データとデジタルオーディオデータに分離され、前者は制御回路８、後者はＤ／Ａ変換回路１０に供給される。
【００２７】
ＴＯＣデータのアドレス検出用データには、総曲番数、各曲番が始まる絶対時間、総記録時間が記録されており、制御回路８では、供給されたアドレス検出用データに含まれる総曲番数データを総曲番数記憶手段８ｃに記憶する。また、このＴＯＣデータの読み取り期間中は音声の出力は必要ないため、制御回路８は消音制御手段８ｆから消音信号をオーディオ回路１１に供給し、消音させる。このようにして、制御回路８は、ＴＯＣデータを読むことによりディスク１に記録されている総曲番数を認識し、総曲番数記憶手段８ｃに記憶する。
【００２８】
続いて、図４のフローチャートに基づいて、総曲番数認識後の動作について説明する。ＳＴＥＰ１にてディスクが挿入され、上記の動作によってＳＴＥＰ２で総曲番数が認識された後は、ＳＴＥＰ３に移行し、総曲番数判定手段８ｂで総曲番記憶手段８ｃに記憶された値が、所定の値より大きいか否かを判定する。
【００２９】
ＳＴＥＰ３での判定結果により、総曲番数が所定値より大きい場合、ＳＴＥＰ４に進み、キー定義切換手段８ｄにおいて、サーチキー９ａ、９ｂの操作対象はトラックアドレスと定義される。さらに、ＳＴＥＰ５にて、表示器１３の表示は、図３（ア）のように上部に「ＴＲＡＣＫ」と表示され、使用者にサーチキー９ａ、９ｂの操作対象がトラックアドレスであることを認識せしめる。次に、ＳＴＥＰ６にて「ＴＲＡＣＫ」表示の下部には、再生中もしくは再生しようとするトラックの番号が表示される。
【００３０】
一方、ＳＴＥＰ３の判定結果により、総曲番数が所定値以下の場合、ＳＴＥＰ７に進み、キー定義切換手段８ｄにおいて、サーチキー９ａ、９ｂの操作対象は時間アドレスと定義される。さらに、ＳＴＥＰ８にて、表示器１３の表示は、図３（イ）のように上部に「Δｍｉｎ」と表示され、使用者にサーチキー９ａ、９ｂの操作対象が時間アドレスであることを認識せしめる。この時、ＳＴＥＰ９にて単位時間設定データΔｍｉｎは「１」に設定される。すなわち、サーチキー９ａ、９ｂを操作したときの時間送り幅は１分となる。
【００３１】
ここで、単位時間設定を変更する場合、単位時間設定手段としてその他キー９ｃの１から６のキーを使用する。このキーは、ラジオモード時はプリセットチャンネルの呼び出しに使用するが、ＣＤモード時は、単位時間設定操作キーとして動作する。具体的には、キーの表示の数字と同等の数字が単位時間として設定される。ＳＴＥＰ１０は、この動作を表わす部分で、１から６のキーが押されない場合は、Δｍｉｎは初期設定の１に、キー操作が行われた場合は、Δｍｉｎ値がＳＴＥＰ１１にて更新される。さらに、ＳＴＥＰ１２では、Δｍｉｎの値が表示器１３に表示され、使用者はサーチキー９ａ、９ｂの操作で時間アドレスが何分変化するかを認識できる。
【００３２】
以降、ＳＴＥＰ１３、１４と移行し、従来例と同じ手順で再生が開始される。なお、サーチキーの操作がない場合は、初めの曲番の頭から再生を始める。オーディオデータの流れについては、従来例と同じなので説明を省略する。
【００３３】
キー定義切換手段８ｄでサーチキー９ａ、９ｂの操作対象がトラックアドレスと定義されている場合（ＳＴＥＰ４）、制御回路８は、入力された操作が前方サーチキー９ａの場合、再生中の曲番の頭から再生を開始するように、また、後方サーチキー９ｂの場合、次の曲番の頭から再生を開始するように制御を行う。さらに、制御回路８は、最小曲番の再生移行中に前方サーチキー９ａが操作された場合は最大曲番を再生し、再生中の曲番が最大曲番の場合に後方サーチキー９ｂが操作された場合は、最小曲番を再生するように制御を行う。
【００３４】
逆に、キー定義切換手段８ｄでサーチキー９ａ、９ｂの操作対象が時間アドレスと定義されている場合（ＳＴＥＰ７）、制御回路８は、入力された操作が前方サーチキー９ａのときは再生中の箇所から１分減じた絶対時間の箇所から再生を開始するように、また、後方サーチキー９ｂのときは再生中の箇所に１分加えた箇所から再生を開始するように制御を行う。
【００３５】
さらに、制御回路８は、前方サーチキー９ａの操作に対して再生中の箇所の絶対時間が１分に満たないときは総記録時間から１分減じた絶対時間の箇所から、また後方サーチキー９ｂ操作に対して再生中の箇所の絶対時間に１分加えると総記録時間を超過するときは絶対時間の頭から再生するように制御を行う。
【００３６】
実施の形態２．
次に、実施の形態２について図５のフローチャートを用いて説明する。なお、ハードウェア構成については、実施の形態１で示した図１と同じであるため説明を省略する。図５のＳＴＥＰ５１にてディスクが挿入され、ＳＴＥＰ５２にて総曲番数が認識された後はＳＴＥＰ５３に移行し、総曲番数の判定がなされる。
【００３７】
ＳＴＥＰ５３での判定結果により、総曲番数が所定値より大きい場合ＳＴＥＰ５４に進み、キー定義切換手段８ｄにおいて、サーチキー９ａ、９ｂの操作対象はトラックアドレスと定義される。
【００３８】
また、ＳＴＥＰ５３での判定結果により、総曲番数が１の場合、ＳＴＥＰ５６に進み、キー定義切換手段８ｄにおいて、サーチキー９ａ、９ｂの操作対象は時間アドレスと定義される。
【００３９】
また、ＳＴＥＰ５３での判定結果により、総曲番数が１より大きく所定値以下の場合、ＳＴＥＰ５５に進み、さらにサーチキー９ａ、９ｂの操作対象が使用者に選択できる状態になる。ＳＴＥＰ５５は、操作対象の切換方法を表わし、サーチキー９ａ、９ｂの操作時間長によって、操作対象をトラックアドレスと時間アドレスに切り換えていることを示す。具体的には、サーチキー９ａ、９ｂの押し時間が所定時間より短い場合その操作は時間アドレスサーチとして働き（ＳＴＥＰ５６）、所定時間より長い場合はトラックアドレスサーチとして働く（ＳＴＥＰ５４）ことになる。
【００４０】
以降の動作については、実施の形態１と同じである。さらに、実施の形態２についても、実施の形態１と同様に、サーチキー９ａ、９ｂの操作対象を表示部１３に表示し使用者に認識可能とすることや、時間サーチの場合の単位時間を切換可能にすることもできる。
なお、以上の各実施の形態ではオーディオデータに対する対応について説明したが、ビデオＣＤ等のＲＯＭディスクに対する対応、つまりオーディオデータを含むその他のデータについても同様に対応することができる。
【００４１】
【発明の効果】
以上のように、この発明によるディスク装置によれば、再生するディスクのアドレス構成により、サーチキーの操作による動作を切り換えるように構成したので、キーの数を増やすことなく、ディスクのサーチが簡便に行える。
【００４２】
また、データ要素数に応じてサーチキーの操作による動作を使用者が選択できるように構成したため、操作性が増す。
【図面の簡単な説明】
【図１】  この発明の実施の形態１に係るディスク装置を示すブロック図である
【図２】  実施の形態１のパネル部分を示す意匠図である。
【図３】  実施の形態１の表示部を示す表示例である。
【図４】  実施の形態１の動作を説明するフローチャートである。
【図５】  この発明の実施の形態２に係るディスク装置の動作を説明するフローチャートである。
【図６】  従来のディスク装置を示すブロック図である。
【符号の説明】
１  ディスク、                    ２  ディスクモーター、
３  ピックアップ、                ４  ピックアップ送りモーター、
５  ＲＦ検出回路、                ６  サーボ回路、
６  サーボ回路、                  ７  デジタル信号処理回路、
８  制御回路、                    ８ａ  サーボ系制御手段、
８ａ  サーボ系制御手段、          ８ｂ  総曲番数判定手段、
８ｃ  総曲番数記憶手段、          ８ｄ  キー定義切換手段、
８ｅ  表示制御手段、              ８ｆ  消音制御手段、
９  操作キー群、                ９ａ  前方サーチキー、
９ｂ  後方サーチキー、            ９ｃ  その他キー、
１０  Ｄ／Ａ変換回路、            １１  オーディオ回路、
１２  増幅回路、                  １３  表示部、
１４  スピーカー。
【図１】
0003805544.tif 000002
【図２】
0003805544.tif 000003
【図３】
0003805544.tif 000004
【図４】
0003805544.tif 000005
【図５】
0003805544.tif 000006
【図６】
0003805544.tif 000007